(57)【要約】【課題】本発明は、パーミング性に優れた使い易い釣竿を得ることにある。【解決手段】釣竿1は、竿管2と、竿管2に設けられたリールシート4とを備えている。リールシート4は、魚釣用リール5のリール脚8を受ける載置部11を有するリールシート本体10と、リールシート本体10の後端部に設けられた固定フード14と、リールシート本体10の前端部に設けられた可動フード16とを含んでいる。リールシート本体10は、第１の指掛け部20、第２の指掛け部21および窪み部22を備えている。第１の指掛け部20は、固定フード14に対応する位置から載置部11の反対側に向けて突出している。第２の指掛け部21は、第１の指掛け部20よりもリールシート本体10の前方に離れた位置から載置部11の反対側に向けて突出している。窪み部22は、第２の指掛け部21の前方に連続して設けられている。【選択図】      図１
2007295805.tif 000002
【特許請求の範囲】
【請求項１】
竿管と、
上記竿管に設けられ、魚釣用リールを固定するリールシートと、を具備する釣竿であって、
上記リールシートは、
上記魚釣用リールのリール脚を受ける載置部を有するリールシート本体と、
上記リールシート本体の後端部に設けられ、上記リール脚の後端を上記載置部との間で保持する固定フードと、
上記リールシート本体の前端部に設けられ、上記固定フードに近づいたり遠ざかる方向に移動可能であるとともに、上記固定フードに近づく方向に移動させることで上記リール脚の前端を上記載置部との間で保持する可動フードと、を含み、
上記リールシート本体は、上記固定フードに対応する位置から上記載置部の反対側に向けて突出する第１の指掛け部と、上記第１の指掛け部よりも上記リールシート本体の前方に離れた位置から上記載置部の反対側に向けて突出する第２の指掛け部と、上記第２の指掛け部の前方に連続して設けられた窪み部とを備えていることを特徴とする釣竿。
【請求項２】
請求項１の記載において、上記第２の指掛け部は、上記第１の指掛け部と向かい合う背面と、この背面の前方に位置するとともに、上記第２の指掛け部の突出先端から上記リールシート本体の前方に進むに従い上記載置部に近づく方向に傾斜する指掛け面とを備え、上記指掛け面は、上記第２の指掛け部の側方に露出するように回り込む湾曲部を有することを特徴とする釣竿。
【請求項３】
請求項２の記載において、上記第２の指掛け部を上記リールシート本体の側方から見た時に、上記リールシート本体に対する第２の指掛け部の背面の傾斜角度は、上記第２の指掛け部の指掛け面の傾斜角度よりも大きいことを特徴とする釣竿。
【請求項４】
請求項２又は請求項３の記載において、上記リールシート本体は、上記第２の指掛け部の前方に進むに従い上記載置部から遠ざかる方向に傾斜する傾斜面を有し、この傾斜面と上記第２の指掛け部の指掛け面との間に上記窪み部が形成されていることを特徴とする釣竿。
【請求項５】
請求項４の記載において、上記第２の指掛け部の指掛け面および上記リールシート本体の傾斜面は、上記リールシート本体を側方から見た時に、夫々上記載置部の反対側に張り出すように円弧状に湾曲するとともに、上記窪み部の底は、上記傾斜面および指掛け面と逆方向に円弧状に湾曲し、上記窪み部の底の曲率半径は、上記傾斜面および上記指掛け面の曲率半径よりも小さいことを特徴する釣竿。
【請求項６】
請求項１ないし請求項５のいずれかの記載において、上記第１の指掛け部の突出先端と上記第２の指掛け部の突出先端との間の間隔は、２０mm〜３５mmの範囲内に規定されていることを特徴とする釣竿。
【請求項７】
請求項１又は請求項２の記載において、上記第２の指掛け部を上記リールシート本体の側方から見た時に、上記第２の指掛け部の突出先端は、上記第２の指掛け部の前端と後端との間で後端の方向にずれており、上記第２の指掛け部の前端から上記第２の指掛け部の突出先端までの長さは、１３mm〜２３mmの範囲内に規定されていることを特徴とする釣竿。
【請求項８】
請求項１又は請求項２の記載において、上記第２の指掛け部を上記リールシート本体の前方から見た時に、上記第２の指掛け部は、その突出先端の方向に進むに従い細くなる形状を有することを特徴とする釣竿。
【請求項９】
請求項１、請求項２又は請求項８のいずれかの記載において、上記第２の指掛け部は、上記第１の指掛け部よりも突出高さが低いことを特徴とする釣竿。
【発明の詳細な説明】
【技術分野】
【０００１】
本発明は、リールシートに魚釣用リールの反対側に向けて突出する指掛け部を設けた釣竿に係り、特に釣竿を操作する時にリールシートを握り易くするための構造に関する。
【背景技術】
【０００２】
例えばルアーにアクションを与えたり、魚とやり取りを行う際に、釣人は、釣竿のリールシートを人差し指、中指、薬指および小指で握るとともに、リールシートに固定した魚釣用リールを親指の腹で上から押さえることで釣竿を片手で把持している。
【０００３】
特許文献１に開示された釣竿では、パーミングおよびキャスティングを確実に行えるように、リールシートに魚釣用リールの反対側に向けて突出する、いわゆるトリガーと称する複数の指掛け部を設けている。
【０００４】
一方の指掛け部は、リールシートと魚釣用リールの双方を片手で把持した状態でキャスティングをする時に好適な位置に設けられている。他方の指掛け部は、一方の指掛け部よりも竿尻側にずれた位置に設けられているとともに、パーミング性を考慮して一方の指掛け部よりも小さく形成されている。
【特許文献１】特開平９−２０５９４４号公報  （図８）
【発明の開示】
【発明が解決しようとする課題】
【０００５】
特許文献１に開示された釣竿によると、リールシートのうち一方の指掛け部よりも前方に位置する部分は、リールシートを側方から見た時に釣竿の軸方向に延びるフラットな形状となっている。
【０００６】
このため、人差し指を一方の指掛け部に引っ掛けたとしても、リールシートの前方向への人指し指の動きを規制することができず、人差し指がリールシートの前後方向に動き易くなる。
【０００７】
この結果、特にパーミングをする際に、人差し指の位置や姿勢が不安定となって、人差し指が一方の指掛け部からずれる虞があり、パーミング性に悪影響を及ぼす一つの要因となる。
【０００８】
本発明の目的は、リールシートを片手で把持した時に手の指がずれ難くなり、パーミング性に優れた使い易い釣竿を得ることにある。
【課題を解決するための手段】
【０００９】
上記目的を達成するため、本発明の一つの形態に係る釣竿は、  
竿管と、  
上記竿管に設けられ、魚釣用リールを固定するリールシートと、を備えている。  
上記リールシートは、(1)上記魚釣用リールのリール脚を受ける載置部を有するリールシート本体と、(2)上記リールシート本体の後端部に設けられ、上記リール脚の後端を上記載置部との間で保持する固定フードと、(3)上記リールシート本体の前端部に設けられ、上記固定フードに近づいたり遠ざかる方向に移動可能であるとともに、上記固定フードに近づく方向に移動させることで上記リール脚の前端を上記載置部との間で保持する可動フードと、を含んでいる。  
上記リールシート本体は、上記固定フードに対応する位置から上記載置部の反対側に向けて突出する第１の指掛け部と、上記第１の指掛け部よりも上記リールシート本体の前方に離れた位置から上記載置部の反対側に向けて突出する第２の指掛け部と、上記第２の指掛け部の前方に連続して設けられた窪み部とを備えていることを特徴としている。
【発明の効果】
【００１０】
本発明によれば、リールシートを片手で把持して手の人差し指を第２の指掛け部に引っ掛けると、この人差し指が窪み部に入り込む。これにより、リールシートに対する人差し指の位置が精度よく定まるとともに、人差し指が前後に動き難くなる。
【００１１】
よって、リールシートを片手でしっかりと把持することができ、パーミング性に優れた使い易い釣竿を得ることができる。
【発明を実施するための最良の形態】
【００１２】
以下本発明の実施の形態を、図面に基づいて説明する。
【００１３】
図１は、例えばルアーフィシングに用いる釣竿１を開示している。釣竿１は、繊維強化樹脂製の元竿管２、グリップ３およびリールシート４を備えている。グリップ３は、例えば柔軟な発泡性樹脂材料やコルクで造られており、手で把持し易い円筒状をなしている。グリップ３は、元竿管２の後端部に接着等の手段により固定されている。
【００１４】
リールシート４は、例えば魚釣用の両軸リール５を取り外し可能に固定するためのものであり、グリップ３の直前に位置している。両軸リール５は、スプール軸６を支持するボディ７を備えている。ボディ７の下端にリール脚８が一体に形成されている。リール脚８は、ボディ７の後方に突出する後端８ａと、ボディ７の前方に突出する前端８ｂとを有している。
【００１５】
図２ないし図９に示すように、リールシート４は、合成樹脂製のリールシート本体１０を備えている。リールシート本体１０は、両軸リール５のリール脚８を受け止める平坦な載置部１１と、載置部１１の後端に位置する円筒状の基部１２と、載置部１１の前端に位置する雄ねじ部１３とを有している。載置部１１、基部１２および雄ねじ部１３は、元竿管２の軸方向に一列に並んでいる。
【００１６】
載置部１１は、リールシート本体１０の上面に露出するとともに、元竿管２の軸方向に沿って延びている。基部１２は、グリップ３の前端に滑らかに連続するような外周面を有している。基部１２の外周面の上部に固定フード１４が一体に形成されている。固定フード１４は、リールシート本体１０の後端部に位置するとともに、載置部１１の後端部に向けて開口するスリット状の開口部１５を有している。雄ねじ部１３は、載置部１１の前端から元竿管２の軸方向に突出する中空の円筒状をなしている。元竿管２は、雄ねじ部１３を同軸状に貫通している。
【００１７】
図１に示すように、載置部１１の前端に可動フード１６が配置されている。可動フード１６は、中空の円筒状をなしており、載置部１１を間に挟んで固定フード１４と向かい合っている。
【００１８】
可動フード１６は、円筒状のナット部材１７を有している。ナット部材１７は、可動フード１６に同軸状に連結されて、この可動フード１６と一体化されている。ナット部材１７は、リールシート本体１０の雄ねじ部１３にねじ込まれている。このねじ込みにより、可動フード１６は固定フード１４に近づいたり遠ざかる方向に移動可能にリールシート本体１０に支持されている。
【００１９】
両軸リール５のリール脚８の後端８ａは、固定フード１４の開口部１５に挿入されて、この固定フード１４と載置部１１との間で保持されている。リール脚８の前端８ｂは、可動フード１６を固定フード１４に向けて移動させることで、可動フード１６と載置部１１との間で保持される。
【００２０】
したがって、リール脚８は、固定フード１４と可動フード１６との間で挟み込まれるとともに、これら両フード１４，１６を介して載置部１１に押し付けられる。この結果、両軸リール５がリールシート本体１０の定位置に固定されるようになっている。
【００２１】
図２および図３に示すように、リールシート本体１０は、第１の指掛け部２０、第２の指掛け部２１および窪み部２２を一体に有している。第１の指掛け部２０、第２の指掛け部２１および窪み部２２は、パーミング操作を容易にするための構成要素であって、載置部１１の反対側に位置している。
【００２２】
詳しく述べると、第１の指掛け部２０は、基部１２の固定フード１４に対応する位置から載置部１１の反対側に向けて突出している。第１の指掛け部２０の突出先端２３は、固定フード１４の真下に位置している。
【００２３】
第１の指掛け部２０は、前面２０ａ、背面２０ｂおよび左右の側面２０ｃを有し、リールシート本体１０を側方から見た時に、その突出先端２３の方向に進むに従い先細り状をなしている。言い換えると、第１の指掛け部２０の前面２０ａおよび背面２０ｂは、突出先端２３の方向に進むに従い互いに近接する方向に緩やかに傾斜している。前面２０ａおよび背面２０ｂは、滑らかな円弧を描いてリールシート本体１０の外周面に連続している。
【００２４】
さらに、第１の指掛け部２０は、リールシート本体１０の軸線Ｏ１と直交する方向に偏平な形状を有している（図５、図６を参照）。それとともに、リールシート本体１０を後方又は前方から見た時に、第１の指掛け部２０の突出先端２３は、下方に向けて張り出すように円弧状に湾曲している（図７、図８を参照）。
【００２５】
第２の指掛け部２１は、第１の指掛け部２０よりも前方に位置している。すなわち、第２の指掛け部２１は、固定フード１４よりもリールシート本体１０の前方に離れた位置から載置部１１の反対側に向けて突出している。第２の指掛け部２１の突出先端２４は、載置部１１の長手方向に沿う中間部の真下に位置している。
【００２６】
第２の指掛け部２１は、背面２５および指掛け面２６を有している。背面２５および指掛け面２６は、夫々第２の指掛け部２１の外側に僅かに張り出すように円弧状に湾曲している。
【００２７】
背面２５は、第１の指掛け部２０の前面２０ａと向かい合うとともに、突出先端２４の方向に進むに従いリールシート本体１０の前方に向けて僅かに傾斜している。さらに、背面２５は、リールシート本体１０を後方から見た時に、突出先端２４の方向に進むに従い先が細くなる山形の形状を有している（図８、図１１および図１２を参照）。
【００２８】
指掛け面２６は、背面２５の前方に位置するとともに、突出先端２４から載置部１１の方向に進むに従いリールシート本体１０の前方に向けて傾斜している。第２の指掛け部２１は、リールシート本体１０を前方および側方のいずれの方向から見た場合でも、突出先端２４の方向に進むに従い先が細くなる山形状をなしている（図１、図４および図９を参照）。
【００２９】
さらに、指掛け面２６は、一対の湾曲部２８ａ，２８ｂを有している。湾曲部２８ａ，２８ｂは、第２の指掛け部２１の左右側方に向けて露出するように円弧状に湾曲するとともに、背面２５の左右の側縁に連続している。
【００３０】
図９に示すように、リールシート本体１０の軸線Ｏ１に対する背面２５の傾斜角度αは、軸線Ｏ１に対する指掛け面２６の傾斜角度βよりも大きく（α＞β）設定されている。
【００３１】
この結果、リールシート本体１０を側方から見た時に、指掛け面２６の長さＬ１は、背面２５の長さＬ２を上回っている。この指掛け面２６の長さＬ１は、例えば大人の平均的な人差し指の幅よりも長い１３mm〜２３mmとすることが望ましい。
【００３２】
加えて、背面２５の傾斜角度αを指掛け面２６の傾斜角度βよりも大きくすることで、第２の指掛け部２１の突出先端２４は、第２の指掛け部２１の前端と後端との間において後端の方向にずれている。
【００３３】
図４および図９に示すように、第１の指掛け部２０と第２の指掛け部２１との間に中指が入り込む隙間２９が形成されている。第１の指掛け部２０の前面２０ａは、隙間２９の後端に位置している。第２の指掛け部２１の背面２５は、隙間２９の前端に位置している。
【００３４】
隙間２９の大きさは、第１の指掛け部２０の突出先端２３と第２の指掛け部２１の突出先端２４との間の間隔Ｇによって規定される。この間隔Ｇは、中指がリールシート本体１０の前後方向に動き難くなるように２０〜３５mmの範囲内に設定することが好ましい。
【００３５】
さらに、本実施の形態によると、第２の指掛け部２１は、偏平な第１の指掛け部２０よりもリールシート本体１０に対する突出高さが低く抑えられている。
【００３６】
図１ないし図４に示すように、リールシート本体１０の窪み部２２は、第２の指掛け部２１の直前に位置している。リールシート本体１０の外周面のうち、第２の指掛け部２１の前方に位置する部分は、第２の指掛け部２１の前方に進むに従い載置部１１から遠ざかる方向に傾斜する傾斜面３０となっている。
【００３７】
傾斜面３０は、リールシート本体１０の下方に僅かに張り出すように円弧状に湾曲している。傾斜面３０の後端は、指掛け面２６の前端に連続している。そのため、リールシート本体１０の傾斜面３０は、指掛け面２６と協働して窪み部２２を構成している。
【００３８】
窪み部２２は、傾斜面３０と指掛け面２６との境界に位置する底３２を有している。底３２は、載置部１１に向けて張り出すように円弧状に湾曲しており、その湾曲方向が上記傾斜面３０や指掛け面２６とは逆向きとなっている。窪み部２２の底３２の曲率半径は、傾斜面３０および指掛け面２６の曲率半径よりも小さくなっている。したがって、窪み部２２は、リールシート本体１０の下方に向けて拡開するように、その形状が明確に規定されている。
【００３９】
このような構成において、釣竿１をパーミングする際に、釣人は、例えば図１に示すように釣竿１のグリップ３からリールシート４に至る領域を片手で把持する。
【００４０】
具体的には、片方の手の人差し指H1を第２の指掛け部２１に引っ掛け、中指H2と薬指H3とで第１の指掛け部２０を挟み込む。さらに、薬指H3、小指H4および手のひらでグリップ３を握るとともに、親指H5の腹で両軸リール５のボディ７を上から押さえる。
【００４１】
人差し指H1を第２の指掛け部２１に引っ掛けた状態では、人差し指H1の指先が第２の指掛け部２１の指掛け面２６とその前方に位置する傾斜面３０とに跨って接触し、この指先が窪み部２２に食い込むように密着する。
【００４２】
特に窪み部２２の底３２は、指掛け面２６および傾斜面３０よりも曲率半径が小さいので、指掛け面２６と傾斜面３０との間にリールシート本体１０の下方に向けて拡開するような形状の窪み部２２が形成される。これにより、人差し指H1の指先をリールシート本体１０の前後方向から挟み込むように保持することができ、人差し指H1の指先の位置決めが容易となるとともに、この指先が前後に動き難くなる。
【００４３】
しかも、指掛け面２６は、第２の指掛け部２１の左右側方に露出するように回り込む湾曲部２８ａ，２８ｂを有するので、人差し指H1の指先が湾曲部２８ａ，２８ｂに纏わるように密着する。それとともに、指掛け面２６の長さＬ１は、例えば１３mm〜２３mmの範囲内に規定され、大人の平均的な人差し指H1の幅よりも長くなっている。
【００４４】
このため、指掛け面２６に人差し指H1の指先を確実に引っ掛けることができ、指掛け面２６と人差し指H1との接触状態が安定する。よって、人差し指H1が第２の指掛け部２１からずれたり、外れ難くなる。
【００４５】
加えて、第２の指掛け部２１は、リールシート本体１０の下方に進むに従い先が細くなるような山形状をなしているので、人差し指H1の指先が第２の指掛け部２１の背面２５の方向に回りこみ易くなる。この結果、リールシート４を片手で把持した時に、人差し指H1の指先が隣り合う中指H2の指先に密着し、人差し指H1と中指H2との間で第２の指掛け部２１を包み込むことができる。よって、人差し指H1がよりずれ難い把持形態を得ることができる。
【００４６】
さらに、上記構成によると、第２の指掛け部２１は、第１の指掛け部２０の前方に位置するので、中指H2と薬指H3との間で第１の指掛け部２０を挟んだ時に、第１の指掛け部２０と第２の指掛け部２１との間の隙間２９に中指H2が嵌まり込む。
【００４７】
この際、隙間２９を規定する第１の指掛け部２０と第２の指掛け部２１との間の間隔Ｇは、２０〜３５mmの範囲内に規定されているので、中指H2が前後にずれ難くなる。
【００４８】
特に、隙間２９の前端に位置する第２の指掛け部２１の背面２５は、リールシート本体１０の軸線Ｏ１に対する傾斜角度αが軸線Ｏ１に対する指掛け面２６の傾斜角度βよりも大きくなっている。これにより、中指H2が第２の指掛け部２１を乗り越し難くなり、中指H2の前方へのずれを確実に防止できる。
【００４９】
以上のことから、リールシート4を片手でしっかりと把持することができ、パーミング操作をした時に人差し指H1や中指H2のずれを確実に防止することができる。よって、パーミング性に優れた使い易い釣竿１を提供することができる。
【００５０】
なお、本発明は上記実施の形態に特定されるものではなく、発明の主旨を逸脱しない範囲内で種々変形して実施可能である。
【００５１】
例えば、第１の指掛け部をリールシート本体の下方に進むに従い先が細くなるような山形状に形成し、第１の指掛け部の突出先端を第１の指掛け部の左右方向に沿う中心に位置させるようにしてもよい。
【００５２】
この構成によれば、中指と薬指との間で第１の指掛け部を挟んだ時に、中指と薬指が第１の指掛け部の突出先端を包み込むように密着する把持形態を得ることができる。このため、パーミング操作をした時に、中指および薬指がリールシート本体の前後および左右方向にずれ難くなり、釣竿１の操作性がより向上する。
【００５３】
さらに、第２の指掛け部の指掛け面および窪み部を規定するリールシート本体の傾斜面は、必ずしも円弧状に湾曲させる必要はなく、例えばリールシート本体を側方から見た時に直線状に形成してもよい。
【図面の簡単な説明】
【００５４】
【図１】本発明の実施の形態において、リールシートを片手で把持した状態を示す釣竿の側面図。
【図２】本発明の実施の形態に係るリールシートの斜視図。
【図３】本発明の実施の形態において、第１の指掛け部、第２の指掛け部および窪み部の位置関係を示すリールシートの斜視図。
【図４】本発明の実施の形態に係るリールシートの側面図。
【図５】本発明の実施の形態に係るリールシートの下面図。
【図６】本発明の実施の形態に係るリールシートの平面図。
【図７】図４の矢印Ａ方向から見た矢視図。
【図８】図４の矢印Ｂ方向から見た矢視図。
【図９】本発明の実施の形態に係るリールシートの断面図。
【図１０】図４のF10-F10線に沿う断面図。
【図１１】図４のF11-F11線に沿う断面図。
【図１２】図４のF12-F12線に沿う断面図。
【図１３】図４のF13-F13線に沿う断面図。
【図１４】図４のF14-F14線に沿う断面図。
【図１５】図４のF15-F15線に沿う断面図。
【符号の説明】
【００５５】
１…釣竿、２…竿管（元竿管）、４…リールシート、５…魚釣用リール（両軸リール）、８…リール脚、１０…リールシート本体、１１…載置部、１４…固定フード、１６…可動フード、２０…第１の指掛け部、２１…第２の指掛け部、２２…窪み部。
【図１】
2007295805.tif 000003
【図２】
2007295805.tif 000004
【図３】
2007295805.tif 000005
【図４】
2007295805.tif 000006
【図５】
2007295805.tif 000007
【図６】
2007295805.tif 000008
【図７】
2007295805.tif 000009
【図８】
2007295805.tif 000010
【図９】
2007295805.tif 000011
【図１０】
2007295805.tif 000012
【図１１】
2007295805.tif 000013
【図１２】
2007295805.tif 000014
【図１３】
2007295805.tif 000015
【図１４】
2007295805.tif 000016
【図１５】
2007295805.tif 000017